(57)【特許請求の範囲】
【請求項１】
充電池と、
前記充電池に接続され、前記充電池の電圧値の測定を行う電圧測定部と、
記憶部と、
前記充電池に対して充電の開始及び充電の終了が生じる度に、前記電圧測定部にて前記充電池の電圧を測定し、測定された電圧の値に基づいて特定した充電回数情報を前記記憶部に記憶するように制御する制御部と、を備え、
前記記憶部は、前記充電池が装着されているときには、当該充電池の電圧が第１の電圧情報として更新されながら記憶されると共に、前記充電池の取り外しが生じても、記憶されている前記充電回数情報及び前記第１の電圧情報を保持する構成であり、
前記電圧測定部は、前記充電池が装着された時に、装着時の前記充電池の電圧を第２の電圧情報として測定し、
前記制御部は、前記充電池が装着された時に、前記第１の電圧情報と前記第２の電圧情報とを比較し、互いに異なる値であれば前記充電回数情報を補正することを特徴とする携帯電子機器。
【請求項２】
前記記憶部は、前記充電回数情報として、充電に関する値と放電に関する値とを別個に管理しており、
前記制御部は、前記充電池が装着された時に、前記第１の電圧情報よりも前記第２の電圧情報の方が高いと判断した場合、前記充電回数情報に前記充電に関する値を加算する補正を行うことを特徴とする請求項１記載の携帯電子機器。
【請求項３】
前記制御部は、前記充電池が装着された時に、前記第２の電圧情報よりも前記第１の電圧情報の方が高いと判断した場合、前記充電回数情報に前記放電に関する値を加算する補正を行うことを特徴とする請求項２記載の携帯電子機器。
【請求項４】
前記記憶部は、電圧値ごとに異なる重み付け値が記憶されており、
前記制御部は、前記充電池に対して充電の開始及び充電の終了が生じる度に、前記電圧測定部にて測定された前記充電池の電圧値に対応する重み付け値を前記記憶部から抽出し、抽出された重み付け値を順次加算して前記充電回数情報を特定し、前記充電池が装着された時に、前記第１の電圧情報と前記第２の電圧情報とを比較し、互いに異なる値の場合には、前記第２の電圧情報に対応する重み付け値を前記記憶部から抽出し、抽出された重み付け値を前記記憶部に保持されている前記充電回数情報に加算する補正を行うことを特徴とする請求項２又は３に記載の携帯電子機器。
【請求項５】
前記充電池は、固有のＩＤ情報を有しており、
前記記憶部は、前記ＩＤ情報に基づいて前記充電池ごとに前記充電回数情報及び前記第１の電圧情報を保持し、
前記制御部は、前記充電池が装着された時に、当該充電池の有するＩＤ情報を確認すると共に、前記記憶部から当該充電池に対応するＩＤ情報を検索し、検索されたＩＤ情報に対応する前記第１の電圧情報と装着された当該充電池の第２の電圧情報とを比較し、互いに異なる場合には前記検索されたＩＤ情報に対応する充電回数情報を補正することを特徴とする請求項１から４のいずれか一項に記載の携帯電子機器。
【請求項６】
各種の情報を報知する報知部をさらに備え、
前記制御部は、前記記憶部に記憶される充電回数情報に基づいて装着中の充電池の寿命に関する情報を前記報知部により報知させるように制御することを特徴とする請求項１から５のいずれか一項に記載の携帯電子機器。
【発明の詳細な説明】
【技術分野】
【０００１】
本発明は、充電池が装着される携帯電子機器に関し、詳細には、充電池の使用状態を報知する携帯電子機器に関する。
【背景技術】
【０００２】
現在、携帯電話用の電池としては、リチウムイオン電池が主流であるが、今後ますます携帯端末の小型、軽量化、かつ、高機能化（デジタルテレビの連続視聴や、音楽連続再生、ＷＥＢ閲覧等）により、電池の充放電サイクルが、早くなり、結果として、携帯端末の使用期間に対し、電池の寿命が短い傾向になることが予想される。
【０００３】
ここで、電池の寿命を検出する方法としては、電池のインピーダンス値の変化により電池の寿命を判断する方法（例えば、特許文献１を参照。）や、充放電カーブに関する関数を保存しておき、充放電時に劣化値を重み付けして計算することにより電池の寿命を判断する方法（例えば、特許文献２を参照。）がある。
【０００４】
また、一般的に電池の寿命とは、電池製造メーカにより規定されており、例えば、約５００〜６００回の充放電によって初期容量のおよそ５〜６割程度まで低下した時点の状態ことをいい、この状態を超えた場合には、内部抵抗の上昇等により、携帯端末の動作に対して所期の動作を担保できなくなる。
【０００５】
したがって、携帯端末の所期の動作を担保するために、使用者に対して、正確かつ明確に電池の寿命を報知する必要がある。
【特許文献１】特開平０５−７４５０１号公報
【特許文献２】特開２００４−２６４３０３号公報
【発明の開示】
【発明が解決しようとする課題】
【０００６】
ところで、携帯端末においては、電池を取り外したり装着したりすることができ、電池が交換された場合には、電池の寿命状態を判定することは困難である。
【０００７】
本発明では、上述のような課題に鑑みてなされたものであり、その目的の一つは、簡易な構成により、コストの増大を伴わずに、電池が交換された場合等においても、電池の寿命を正確に判定することができる携帯電子機器を提供することにある。
【課題を解決するための手段】
【０００８】
本発明に係る携帯電子機器は、上記課題を解決するために、充電池と、前記充電池に接続され、前記充電池の電圧値の測定を行う電圧測定部と、記憶部と、前記充電池に対して充電の開始及び充電の終了が生じる度に、前記電圧測定部にて前記充電池の電圧を測定し、測定された電圧の値に基づいて特定した充電回数情報を前記記憶部に記憶するように制御する制御部と、を備え、前記記憶部は、前記充電池が装着されているときには、当該充電池の電圧が第１の電圧情報として更新されながら記憶されると共に、前記充電池の取り外しが生じても、記憶されている前記充電回数情報及び前記第１の電圧情報を保持する構成であり、前記電圧測定部は、前記充電池が装着された時に、装着時の前記充電池の電圧を第２の電圧情報として測定し、前記制御部は、前記充電池が装着された時に、前記第１の電圧情報と前記第２の電圧情報とを比較し、互いに異なる値であれば前記充電回数情報を補正することを特徴とする。
【０００９】
また、前記携帯電子機器では、前記記憶部は、前記充電回数情報として、充電に関する値と放電に関する値とを別個に管理しており、前記制御部は、前記充電池が装着された時に、前記第１の電圧情報よりも前記第２の電圧情報の方が高いと判断した場合、前記充電回数情報に前記充電に関する値を加算する補正を行うことが好ましい。
【００１０】
また、前記携帯電子機器では、前記制御部は、前記充電池が装着された時に、前記第２の電圧情報よりも前記第１の電圧情報の方が高いと判断した場合、前記充電回数情報に前記放電に関する値を加算する補正を行うことが好ましい。
【００１１】
また、前記携帯電子機器では、前記記憶部は、電圧値ごとに異なる重み付け値が記憶されており、前記制御部は、前記充電池に対して充電の開始及び充電の終了が生じる度に、前記電圧測定部にて測定された前記充電池の電圧値に対応する重み付け値を前記記憶部から抽出し、抽出された重み付け値を順次加算して前記充電回数情報を特定し、前記充電池が装着された時に、前記第１の電圧情報と前記第２の電圧情報とを比較し、互いに異なる値の場合には、前記第２の電圧情報に対応する重み付け値を前記記憶部から抽出し、抽出された重み付け値を前記記憶部に保持されている前記充電回数情報に加算する補正を行うことが好ましい。
【００１２】
また、前記携帯電子機器では、前記充電池は、固有のＩＤ情報を有しており、前記記憶部は、前記ＩＤ情報に基づいて前記充電池ごとに前記充電回数情報及び前記第１の電圧情報を保持し、前記制御部は、前記充電池が装着された時に、当該充電池の有するＩＤ情報を確認すると共に、前記記憶部から当該充電池に対応するＩＤ情報を検索し、検索されたＩＤ情報に対応する前記第１の電圧情報と装着された当該充電池の第２の電圧情報とを比較し、互いに異なる場合には前記検索されたＩＤ情報に対応する充電回数情報を補正することが好ましい。
【００１３】
また、前記携帯電子機器では、各種の情報を報知する報知部をさらに備え、前記制御部は、前記記憶部に記憶される充電回数情報に基づいて装着中の充電池の寿命に関する情報を前記報知部により報知させるように制御することが好ましい。
【発明の効果】
【００１４】
本発明によれば、電池が交換された場合においても、電池の寿命を正確に判定することができる。
【発明を実施するための最良の形態】
【００１５】
以下、本発明の実施の形態について説明する。
【００１６】
図１は、本発明に係る携帯電子機器の一例である携帯電話装置１の外観斜視図を示す。なお、以下では、携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
携帯電話装置１は、操作部側筐体部２と、表示部側筐体部３と、を備えて構成される。操作部側筐体部２は、表面部１０に、操作キー群１１と、使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１８】
また、表示部側筐体部３は、表面部２０に、各種情報を表示するためのディスプレイ２１と、通話の相手側の音声を出力する音声出力部２２と、を備えて構成されている。
【００１９】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２０】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２１】
また、図２は、操作部側筐体部２の一部を分解した斜視図を示している。操作部側筐体部２は、図２に示すように、回路基板３０と、リアケース部３１と、充電可能な電池である充電池３２と、充電池カバー３３と、によって構成されている。
【００２２】
回路基板３０は、所定の演算処理を行うＣＰＵ等の素子（後述する制御ブロック４８に相当）が実装されており、表面部１０上の操作キー群１１がユーザにより操作が行われたときに、所定の信号がＣＰＵに供給される。また、回路基板３０には、後述する電池端子４６が実装されている。
【００２３】
リアケース部３１は、ヒンジ機構４を固定するヒンジ機構固定部３１Ａと、所定の使用周波数帯により通信を行うメインアンテナ７０を収納するメインアンテナ収納部３１Ｂと、充電池３２を格納する充電池格納部３１Ｃと、を備えている。
【００２４】
また、図３は、携帯電話装置１の機能を示す機能ブロック図である。携帯電話装置１は、図３に示すように、操作キー群１１と、マイク１２と、ディスプレイ２１と、音声出力部２２と、通信部４１と、記憶部４２と、電源回路４３と、音声処理部４４と、スピーカ４５と、電池端子４６と、非接触リーダ４７と、各部を制御する制御ブロック４８と、を備えている。なお、電池端子４６には、第１の端子５１と、非接触リーダ４７に接続されるＲＦＩＤアンテナ５２が備えられている。さらに、充電池３２は、バッテリセル６１と、認証用記憶部６２と、非接触出力部６３と、第２の端子６４と、を備えている。
【００２５】
また、携帯電話装置１は、この携帯電話装置１に対応する所定の充電装置８０の上に載置されると、電源回路４３と充電装置８０の互いに対応する接続端子同士が接触して回路接続され、充電池３２のバッテリセル６１が充電される。
【００２６】
すなわち、電源回路４３内の一部には、充電装置８０と充電池３２の間を回路接続する充電回路が形成されている。また、電源回路４３は、制御ブロック４８からの命令に基づいて、充電回路により行われる、充電装置８０から充電池３２への給電動作のＯＮ状態とＯＦＦ状態とが切り換えられる構成になっている。
【００２７】
通信部４１は、所定の使用周波数帯により外部装置と通信を行うメインアンテナ７０と、変調処理又は復調処理等の信号処理を行う通信処理部７１と、を備える。また、通信部４１は、電源回路４３を介して充電池３２から電源電圧の供給を受けている。また、通信部４１は、一般的な携帯電話装置と同様に、例えば、ＣＤＭＡ２０００＿１ｘ方式等の無線通信により、最寄りの基地局を介して、公衆の通信網に接続することができるようになっている。
【００２８】
記憶部４２は、不揮発性記憶媒体であって、複数個の充電池のＩＤ情報がそれぞれの使用状況の情報と共に記憶されている。また、記憶部４２に記憶されている内容は、ユーザによる書き換えが行えないような構成になっているものとする。
【００２９】
電源回路４３は、充電池３２から供給される電源電圧を所定の電圧に変換し、変換後の電圧を携帯電話装置１の各部に供給する。
【００３０】
音声処理部４４は、制御ブロック４８により制御され、通話時における相手側の音声を音声出力部２２から出力し、また、マイク１２から入力されたユーザの声に信号処理を行う。また、音声処理部４４は、例えば、記憶部４２に格納されている音楽データの再生処理を行いスピーカ４５から出力する。
【００３１】
第１の端子５１は、充電池３２の第２の端子６４に接続され、バッテリセル６１から供給される電源電圧を電源回路４３に供給する。
【００３２】
また、充電池３２は、図３に示すように、認証用記憶部６２と非接触出力部６３とが互いに回路接続されている。そして、認証用記憶部６２には、充電池を識別するための固有のＩＤ情報が記憶されている。具体的には、認証用記憶部６２は、スタートビットとストップビットに挟まれてなるデータ領域を有し、さらに誤り訂正用のパリティービットを含めるシリアルデータを格納可能な構成となっている。また、データ領域には、ＩＤ情報として、充電池３２の製造番号等の充電池に固有のＩＤ情報や、充電池の種別情報（リチウムイオン式、ニッケル水素式、又はニッケルカドミウム式等）や、メーカ種別、容量値等の情報がシリアル列で記憶されている。
【００３３】
ここで、充電池３２の特性について説明する。例えば、充電池３２がリチウムイオン電池の場合には、一般的に、約５００サイクル程度の充電・放電動作により、容量が約６０パーセント程度にまで低下する。また、容量が約６０パーセント程度にまで低下した状態を電池寿命という。なお、充電池３２は、電池寿命に達した状態であっても、まだ使用可能な状態ではあるが、このような状態においては、インピーダンスも上昇しており、所期の性能を発揮するのは困難な状況になっている。また、容量が約６０パーセント未満に達した後は、容量が加速度的に低下してゆく（図４を参照。）。
【００３４】
したがって、充電池の充放電の回数をカウントし、そのカウントに応じて電池寿命を使用者に報知することが望まれるが、充電池が交換等された場合、継続的な電池寿命の測定ができず、電池寿命を正確に判定することが困難となる。例えば、携帯電話装置から充電池が抜き取られ、当該充電池を専用の充電機器等により充電を行い、その後、再び携帯電話装置に装着するような場合には、当該充電池３２の充電サイクル回数自体は更新されているが、充電池３２にこのような更新情報が残らないため、正確な充電寿命を判断することが困難となる。そこで、本発明では、簡易な構成によってコストの増大を伴わずに、充電池が交換等された場合においても、電池寿命を正確に判定することが可能な構成及び方法を提案する。
【００３５】
また、非接触リーダ４７は、制御ブロック４８の制御にしたがって、ＲＦＩＤ（Ｒａｄｉｏ  Ｆｒｅｑｕｅｎｃｙ  Ｉｄｅｎｔｉｆｉｃａｔｉｏｎ）の技術により、非接触出力部６３との間でＲＦＩＤアンテナ５２を介して非接触式（無線式）通信を行ない、充電池３２の認証用記憶部６２に記憶されているＩＤ情報を読み取ることができるようになっている。
【００３６】
すなわち、充電池３２が携帯電話装置１に装着された場合でも、非接触リーダ４７と非接触出力部６３は直接回路接続されないが、充電池３２が装着されたことを検出すると、まず、制御ブロック４８がバックグラウンド（表示や音を伴わず）で立ち上がり、制御ブロック４８の命令に基づいて非接触リーダ４７が認証要求の無線送信を開始する。また、非接触出力部６３は、充電池３２内のバッテリセル６１から電源の供給を受けずに、非接触リーダ４７からの認証要求信号を受信することにより動作電力が電磁誘導により生成され、これを電源として認証用記憶部６２に記憶されているＩＤ情報を読み出すと共に、これを非接触リーダ４７に無線出力するようになっている。
【００３７】
つぎに、制御ブロック４８の構成について説明する。制御ブロック４８は、図５に示すように、充電池３２に接続され、充電池３２の電圧値の測定を行う電圧測定部１００と、充電池３２に対して充電の開始及び充電の終了が生じる度に、電圧測定部１００にて充電池３２の電圧を測定し、測定された電圧の値に基づいて特定した充電・放電回数情報を記憶部４２に記憶し、当該充電・放電回数情報に基づいて充電池３２の寿命に関する情報を報知部（ディスプレイ２１やスピーカ４５に相当する）により報知するように制御する制御部１０１と、を備える。
【００３８】
記憶部４２は、充電池３２が装着されているときには、当該充電池３２の電圧が電圧測定部１００の監視により第１の電圧情報Ｖ１として更新されながら記憶されると共に、充電池３２の取り外しが生じても、記憶されている充電・放電回数情報及び第１の電圧情報Ｖ１を保持する構成である。
【００３９】
また、電圧測定部１００は、充電池３２が装着された時に、装着時の前記充電池３２の電圧を第２の電圧情報Ｖ２として測定する。
【００４０】
また、制御部１０１は、充電池３２が装着された時に、第１の電圧情報Ｖ１と第２の電圧情報Ｖ２とを比較し、互いに異なる値であれば充電・放電回数情報を補正する。
【００４１】
このように構成されることにより、充電池が交換等された場合においても、簡易な構成によってコストの増大を伴わずに、継続的な電池寿命の測定ができ、電池寿命を正確に判定することができる。
【００４２】
また、記憶部４２は、充電・放電回数情報として、充電に関する値と放電に関する値とを別個に管理する。また、制御部１０１は、充電池３２が装着された時に、装着された充電池の電圧である第２の電圧情報Ｖ２よりも、記憶されている第１の電圧情報Ｖ１の方が高いと判断した場合には、充電・放電回数情報に前記放電に関する値を加算する補正を行い、また、第１の電圧情報Ｖ１よりも第２の電圧情報Ｖ２の方が高いと判断した場合には、充電・放電回数情報に充電に関する値を加算する補正を行う。
【００４３】
このように構成されることにより、充電池が交換等された場合においても、簡易な構成によってコストの増大を伴わずに、継続的な電池寿命の測定ができ、より正確に電池寿命を判定することができる。
【００４４】
また、記憶部４２は、電圧値ごとに異なる重み付け値が記憶されている。また、制御部１０１は、充電池３２に対して充電の開始及び充電の終了が生じる度に、電圧測定部１００にて測定された充電池３２の電圧値に対応する重み付け値を記憶部４２から抽出し、抽出された重み付け値を順次加算して充電・放電回数情報を特定し、充電池３２が装着された時に、第１の電圧情報Ｖ１と第２の電圧情報Ｖ２とを比較し、互いに異なる値の場合には、第２の電圧情報Ｖ２に対応する重み付け値を記憶部４２から抽出し、抽出された重み付け値を記憶部４２に保持されている充電・放電回数情報に加算する補正を行う。
【００４５】
このように構成されることにより、充電池が交換等された場合においても、簡易な構成によってコストの増大を伴わずに、継続的な電池寿命の測定ができ、より正確に電池寿命を判定することができる。
【００４６】
また、充電池３２は、固有のＩＤ情報を有している。また、記憶部４２は、ＩＤ情報に基づいて充電池３２ごとに充電・放電回数情報及び第１の電圧情報Ｖ１を保持している。また、制御部１０１は、充電池３２が装着された時に、当該充電池３２の有するＩＤ情報を確認すると共に電圧測定部１００により第２の電圧情報として当該充電池３２の電圧を測定し、記憶部４２から当該充電池３２に対応するＩＤ情報を検索し、検索されたＩＤ情報に対応する第１の電圧情報Ｖ１と、装着された当該充電池３２の第２の電圧情報Ｖ２とを比較し、互いに異なる場合には検索されたＩＤ情報に対応する充電・放電回数情報を補正する。
【００４７】
このように構成されることにより、充電池が交換等された場合においても、簡易な構成によってコストの増大を伴わずに、継続的な電池寿命の測定ができ、より正確に電池寿命を判定することができる。
【００４８】
つぎに、上述した電池寿命の判定方法について、図６に示すフローチャートを参照しながら説明する。なお、以下では、携帯電話装置１に装着されていた充電池３２が取り外され、その後再び装着された場合を想定して説明する。
【００４９】
ステップＳ１において、制御部１０１は、電圧測定部１００により充電池３２の電池電圧（第１の電圧情報Ｖ１）を測定するように制御する。なお、電圧測定部１００は、定期的に充電池３２の電池電圧をチェックしている。
【００５０】
ステップＳ２において、制御部１０１は、充電池３２が所定の場所である充電池格納部３１Ｃから取り外されたか否かを判断する。充電池３２が充電池格納部３１Ｃから取り外されたと判断した場合（Ｙｅｓ）には、ステップＳ３に進み、充電池３２が充電池格納部３１Ｃに装着されたままであると判断した場合（Ｎｏ）には、ステップＳ１に戻る。
【００５１】
ステップＳ３において、制御部１０１は、充電池３２の直近の電池電圧（第１の電圧情報Ｖ１）を、当該充電池３２のＩＤ情報に対応付けて記憶部４２に記憶する。
【００５２】
ステップＳ４において、制御部１０１は、充電池３２が所定の場所である充電池格納部３１Ｃに装着されたか否かを判断する。充電池３２が充電池格納部３１Ｃに装着されたと判断した場合には、ステップＳ５に進み、充電池３２が充電池格納部３１Ｃに装着されていないと場合には、ステップＳ４の工程を繰り返す。なお、実際には携帯電話装置１は、充電池３２が取り外されている間は電源供給が行われないため、厳密には、ステップＳ４の工程を繰り返すのではなく、充電池３２の装着、すなわち制御ブロック４８への電源供給の発生を待つこととなる。そして、充電池３２による制御ブロック４８への電源供給が開始されると、制御部１０１は、バックグランドで立ち上がり、所定の処理を行うこととなる。
【００５３】
ステップＳ５において、制御部１０１は、電圧測定部１００により装着された充電池３２の電池電圧（第２の電圧情報Ｖ２）を測定するように制御する。
【００５４】
ステップＳ６において、制御部１０１は、充電池格納部３１Ｃに装着されている充電池３２のＩＤ情報を読み出す。
【００５５】
ステップＳ７において、制御部１０１は、ステップＳ６の工程により読み出したＩＤ情報に基づいて記憶部４２を参照し、当該ＩＤ情報に対応する電池電圧の情報を読み出す。なお、本工程において、ステップＳ６の工程により読み出したＩＤ情報に基づいて記憶部４２を参照し、当該ＩＤ情報に対応する電池電圧の情報がない場合、すなわち当該ＩＤ情報が記憶部４２に登録されていない場合には、一連の処理を終了する。
【００５６】
ステップＳ８において、制御部１０１は、ステップＳ３の工程により記憶部４２に記憶した第１の電圧情報Ｖ１と、ステップＳ５の工程により測定した第２の電圧情報Ｖ２とを比較する。
【００５７】
ステップＳ９において、制御部１０１は、ステップＳ８の工程による比較結果から第１の電圧情報Ｖ１よりも第２の電圧情報Ｖ２の方が大きいか否か、すなわち、「Ｖ１＜Ｖ２」の関係にあるか否かを判断する。「Ｖ１＜Ｖ２」の関係にあると判断した場合（Ｙｅｓ）には、ステップＳ１０に進み、「Ｖ１＜Ｖ２」の関係にないと判断した場合（Ｎｏ）には、ステップＳ１１に進む。なお、「Ｖ１＜Ｖ２」の関係にあるということは、一旦取り外された充電池３２が他の充電機器等により充電されていたことを意味する。
【００５８】
ステップＳ１０において、制御部１０１は、記憶部４２に記憶されている充電・放電回数情報の充電回数情報を補正する。なお、補正方法は、補正係数Ｘを加味することにより行う。ここで、補正係数Ｘは、例えば、
（第２の電圧情報Ｖ２  →  補正係数Ｘ）、
（３．６０Ｖ  →  ０回）、
（３．８０Ｖ  →  ０．１回）、
（３．８４Ｖ  →  ０．２回）、
（３．８８Ｖ  →  ０．３回）、
（３．９２Ｖ  →  ０．４回）、
（３．９５Ｖ  →  ０．５回）、
（３．９８Ｖ  →  ０．６回）、
（４．０２Ｖ  →  ０．７回）、
（４．０５Ｖ  →  ０．８回）、
（４．１０Ｖ  →  ０．９回）、
（４．２０Ｖ  →  １．０回）、
のように決定される。
【００５９】
ステップＳ１１において、制御部１０１は、ステップＳ８の工程による比較結果から第２の電圧情報Ｖ２よりも第１の電圧情報Ｖ１の方が大きいか否か、すなわち、「Ｖ１＞Ｖ２」の関係にあるか否かを判断する。「Ｖ１＞Ｖ２」の関係にあると判断した場合（Ｙｅｓ）には、ステップＳ１２に進み、「Ｖ１＞Ｖ２」の関係にないと判断した場合（Ｎｏ）には、ステップＳ１３に進む。なお、「Ｖ１＞Ｖ２」の関係にあるということは、一旦取り外された充電池３２が他の機器において使用されたり、自然放電等により放電したことを意味する。
【００６０】
ステップＳ１２において、制御部１０１は、記憶部４２に記憶されている充電・放電回数情報の放電回数情報を補正する。なお、補正方法は、補正係数Ｙを加味することにより行う。ここで、補正係数Ｙは、例えば、
（第２の電圧情報Ｖ２  →  補正係数Ｙ）、
（４．２０Ｖ以上  →  ０回）、
（４．００Ｖ  →  ０．１回）、
（３．８８Ｖ  →  ０．２回）、
（３．８３Ｖ  →  ０．３回）、
（３．７７Ｖ  →  ０．４回）、
（３．７３Ｖ  →  ０．５回）、
（３．６９Ｖ  →  ０．６回）、
（３．６７Ｖ  →  ０．７回）、
（３．６５Ｖ  →  ０．８回）、
（３．６０Ｖ  →  ０．９回）、
（３．３０Ｖ  →  １．０回）、
のように決定される。
【００６１】
ステップＳ１３において、制御部１０１は、記憶部４２に記憶されている充電・放電回数情報の補正を行わない。本工程においては、第１の電圧情報Ｖ１と第２の電圧情報Ｖ２とは、ほぼ等しいことを意味する。
【００６２】
このようにして本発明に係る携帯電話装置１は、充電池が交換等された場合においても、簡易な構成によってコストの増大を伴わずに、記憶部４２に記憶されている充電池３２ごとの充電・放電回数情報の補正を適宜行うので、継続的な電池寿命の測定ができ、電池寿命を正確に判定することができる。
【図面の簡単な説明】
【００６３】
【図１】本発明に係る携帯電話装置の外観を示す斜視図である。
【図２】本発明に係る携帯電話装置に備えられている操作部側筐体部の構成を示す斜視図である。
【図３】本発明に係る携帯電話装置の機能を示すブロック図である。
【図４】充電池のサイクル回数と放電容量率の関係を示す図である。
【図５】制御ブロックの構成を示す図である。
【図６】電池寿命の判定方法についての説明に供するフローチャートである。
【符号の説明】
【００６４】
１  携帯電話装置
２１  ディスプレイ（報知部）
３２  充電池
４２  記憶部
４５  スピーカ（報知部）
４８  制御ブロック
１００  電圧測定部
１０１  制御部
【図１】
0005015760.tif 000002
【図２】
0005015760.tif 000003
【図３】
0005015760.tif 000004
【図４】
0005015760.tif 000005
【図５】
0005015760.tif 000006
【図６】
0005015760.tif 000007